Podtech/llm-jp-corpus-v4-ja_patent huggingface dataset:
(57)【要約】      （修正有）【課題】装着時に、マスクと顔面との間に生ずるすき間を、立体構造のフィルター状物を付加することによって補完し、ウイルスや花粉のしゃ断効果を維持するマスクを提供する。【解決手段】マスク外周内面部の全部あるいは、一部に例えば、起毛した、極細繊維を用い、立体構造を有するフィルターを付加することにより、装着時にすき間が残っていても、充分マスク効果を、維持できる構造とする。【選択図】図１
0003183590.tif 000002
【実用新案登録請求の範囲】
【請求項１】
マスク外周内面部に、立体的なフィルター構造物を付加し、マスクと顔面とのすき間から侵入するウィルス、花粉、排ガス微粒子、細菌などを捕捉する作用効果を有する構造のマスク。
【考案の詳細な説明】
【技術分野】
【０００１】  本考案は、マスク外周の内面に、立体構造で、かつ通気性および柔軟性を有する素材を付加したマスクの構造に係る。【０００２】  古くから、マスクは、主に綿素材を使用したものが、広く普及していた。しかしながら、素材と製法の欠点により、目的とする効果には、限界が有った。【０００３】  しかし、最近のマスクでは、すぐれた素材の使用と、構造とを用いた、使用効果の高い物が主流となっている。【０００４】  例えば、その素材としては、ポリプロピレン、ポリエチレンなどが用いられ、また、その構造としては、プリーツ構造や複層構造として作られている。この為、マスク本体による、ウィルスや花粉にたいする除去率は、高い数値結果が確認されている。
【考案の概要】
【考案が解決しようとする課題】
【０００５】  しかしながら、これらの素材及び構造が、ウィルスしゃ断効率などにおいて、実験数値として、いかによいものであっても、実際に人が使用した場合における、実験数値では、例えば、医療従事者など、限られた熟達者でない限り、場合によっては、効果がほとんど無い事が判明している。【０００６】  この原因は、使用する際に発生する、マスク本体と顔面との間に生まれる、すき間に起因する。すなわち、顔の骨格、大きさ及び肉付きに、多くの個人差が有る為である。また、マスク装着時において、これを使用する人が、会話をする事などにより、顔面の筋肉などが、動く為でもある。【０００７】  本考案は、［０００６］において指摘した欠点、すなわち、マスク装着時に宿命的に生ずる顔との間のすき間を、新たな構造物を付加することによって補完する為のものである。
【課題を解決するための手段】
【０００８】  本考案のマスクは、マスク本体の外周内面に、すき間が生じても、効果を補完、維持できるように、さまざまな素材を用いたフィルター状の構造物を付加したものである。【０００９】  本考案において用いる、さまざまな素材とは、通気性及び柔軟性とを備えた素材である。【００１０】  例えば、羽毛（ダウン）、羊毛、パルプ繊維、綿繊維などの天然素材や、ポリプロピレン、ポリエステル、ナイロンなどの人工素材である。【００１１】  また、［００１０］にあげた素材を、起毛処理や、極細繊維加工あるいは網目加工など、いろいろな加工をすることによって、その効果をより高めることが可能となる。【００１２】  すなわち、［００１１］にあげた加工処理などによって、マスクと、顔面とのすき間が有る場合には、立体的なフィルター構造を保持し、マスクと、顔とのすき間が潰れる部位においては、容易に、その構造物も潰れ、密着性をそこなわないようにすることができるものである。【００１３】  ［００１１］にしめした加工処理は、物理的な加工処理のみに限られず、微粒子などをより効果的に捕捉できるような、化学的な処理も含まれる。
【考案の効果】
【００１４】  本考案のマスク構造によれば、マスクと顔面との間に生ずるすき間から、特に、吸気時に外気より侵入する、ウィルス、花粉、排気ガス微粒子、細菌などを、捕捉、吸着することができる。【００１５】  この本考案の効果によって、人がマスクを実際に装着した場合におけるマスク効果の維持、補完が可能となる。
【考案を実施するための形態】
【００１６】  以下、本考案のマスク構造の形態について図面に示す実施例に基づいて、具体的に説明する。
【００１７】  図１は、本考案の実施例を示すものであり、マスク本体１の外周内面部２に、極細繊維加工を施したポリプロピレンなどの素材を、立体構造加工にして、付加したもの３である。
【００１８】  また、図１の（ａ）において、マスク外周内面部２については、マスクと、顔面とが、必ず密着する部位も有るので、特にすき間が生じ易い部位４などに限っても良い。
【図面の簡単な説明】
【００１９】
【図１】（ａ），（ｂ）は、それぞれ本考案のマスクの構造を示したもので、マスク内側より示した正面図（ａ）とタテ断面図（ｂ）である。
【符号の説明】
【００２０】１・・・・・・  マスク本体
２・・・・・・  マスク外周内面部
３・・・・・・  立体構造加工付加物
４・・・・・・  マスクと顔面間にすき間のでき易い部位
【図１】
0003183590.tif 000003
(57)【要約】      （修正有）【課題】チケット類等を携帯端末に装着しておくための携帯端末用のカード類押さえを提供する。【解決手段】携帯端末１と一体となって持ち運びされるカード類押さえＰであって、携帯端末１と一体となり得るように、それに対する取付基板３を具備しており、取付基板３に開閉可能にカード類の押さえ上部片４を設け、その押さえ上部片４の先端には押さえの弾力に抗して、カード類を差し込まれ得るようにガイド口１３を、取付基板３に対し上開き状に設けたことを特徴とする。常時身に付けている携帯電話やスマートフォン等に、カード類を差し挟んで同時に持ち運びできるので、カード類の使用や管理に非常に便利である。【選択図】図１
0003183539.tif 000002
【実用新案登録請求の範囲】
【請求項１】
携帯端末と一体となって持ち運びされるカード類押さえであって、携帯端末と一体となり得るように、それに対する取付基板を具備しており、取付基板に開閉可能にカード類の押さえ上部片を設け、その押さえ上部片の先端には押さえの弾力に抗して、カード類を差し込まれ得るようにガイド口を、取付基板に対し上開き状に設けたことを特徴とする携帯端末用のカード類押さえ。
【考案の詳細な説明】
【技術分野】
【０００１】
この考案は、乗車券（紙の切符、磁気カード、非接触型ＩＣカード）、映画のチケットやコンビニのポイントカード等を身に付けるために携帯電話やスマートフォン等に備えて使用する携帯端末用のカード類押さえに関する。
【背景技術】
【０００２】
チケット類等のカード類は、財布、定期券入れ等に差し込んで鞄の中で持ち運ばれることが多い。これに対して、携帯電話やスマートフォンの携帯端末は、居場所や時間を問わず、常時身の回りにあるか、身に付けており、携帯端末を忘れるということは極まれでありほとんど有りえない生活必需品となっている。
【考案の概要】
【考案が解決しようとする課題】
【０００３】
この考案は、上記のような観点から、携帯端末に例えばチケット類等を付けて同時に携帯できるために、チケット類等を忘れることなく持ち運ぶことのできることになるよう、携帯端末に装着しておくための携帯端末用のカード類押さえを提供することを課題とした。
【課題を解決するための手段】
【０００４】
上記の課題を解決するために、この考案は、携帯端末と一体となって持ち運びされるカード類押さえであって、携帯端末と一体となり得るように、それに対する取付基板を具備しており、取付基板に開閉可能にカード類の押さえ上部片を設け、その押さえ上部片の先端には押さえの弾力に抗して、カード類を差し込まれ得るようにガイド口を、取付基板に対し上開き状に設けたことを特徴とする携帯端末用のカード類押さえを提供する。
【考案の効果】
【０００５】
以上説明したように、この考案の携帯端末用のカード類押さえによれば、常時身に付けている携帯電話やスマートフォン等に、カード類を差し挟んで同時に持ち運びできるので、必要なときに忘れたということになく、カード類の使用や管理に非常に便利であるという優れた効果がある。
【図面の簡単な説明】
【０００６】
【図１】この考案の携帯端末用のカード類押さえを使用状態において示す斜視図である。
【図２】同携帯端末用のカード類押さえの拡大斜視図である。
【図３】他の実施例を示す図２に対応する斜視図である。
【図４】さらに他の実施例を示す図２に対応する斜視図である。
【図５】さらに他の実施例による携帯端末用のカード類押さえを示す携帯端末の収納ケースの斜視図である。
【考案を実施するための形態】
【０００７】
この考案の携帯端末用のカード類押さえＰは、携帯電話やスマートフォンの携帯端末に取り付けて使用するが、その収納ケース２３に設けて間接的に使用することもできる。
【実施例１】
【０００８】
図１および図２は、一実施例を示したもので、その携帯端末用のカード類押さえＰは、携帯端末１の裏面に当接する幅広い取付基板３と、その一側から取付基板３の上へ反転する幅狭い押さえ上部片４と、その押さえ上部片４の先端部から取付基板３の上に反転する押縁部５とからなるもので、取付基板１の裏面に粘着剤が塗布され、その上に剥離紙７が貼着される。
【０００９】
また、このカード類押さえＰについては、全体が弾性を有するプラスチックにより一体成形され、押さえ上部片４の先端の反転部８が内側に傾斜していることにより、カード１１が差し込まれる上開き状のガイド口１３が設けられる。そして、ガイド口１３よりも内側で押縁部５が取付基板３の上に弾力により圧接している。また、押さえ上部片４の上には細い溝条の配列により滑り止めの粗面１５が形成される。
【００１０】
使用するときには、剥離紙７を剥いで、裏面の粘着剤で携帯端末１に取り付ける（図１）。この状態でカード１１をガイド口１３から取付基板３と押縁部５との間に差し込むとカード１１が押さえ止められる。
【実施例２】
【００１１】
図３は、他の実施例を示したもので、その携帯端末用のカード類押さえＰは、取付基板３にバネ装置１７を介して押さえ上部片４を一体に連結したもので、バネ装置１７は、取付基板３と押さえ上部片４とに横軸２０を支持する軸受部２２，２２を突設し、横軸２０にコイルバネ１９を挿入してあるが、コイルバネ１９は、中間に取付基板３に対する固定部１９ａを、両端に押さえ上部片４に対する固定部１９ｂ、１９ｂをそれぞれ突設したもので、押さえ上部片４の基端部４ａを押すと、前端が開くので、そのガイド口１３からカードを差し込んで保持できる。
【実施例３】
【００１２】
図４は、さらに他の実施例を示したもので、その携帯端末用のカード類押さえＰは、取付基板３にワイヤーバネ２３からなる押さえ上部片４を開閉可能に軸支したもので、取付基板３の後端にその軸受２１が突設され、押さえ上部片４は、ワイヤーバネの両端部２３ａ、２３ａを軸受２１から突出させて取付基板３に固定し、Ｕ字形部２３ｂが軸受２１を中心に弾力で上下する押さえ上部片４となっている。
【実施例４】
【００１３】
図５は、さらに他の実施例を示し、この場合は、携帯端末１を挿入するプラスチックケース２３の上面を取付基板３としたもので、押さえ上部片４がケース２３に基端部２２から一体に突出され、屈折して板状に重なっている。また、突出の先端２４では上向きに屈折してそこにガイド口１３が設けられる。
【符号の説明】
【００１４】
Ｐ  携帯端末用のカード類押さえ
１  携帯端末
３  取付基板
４  押さえ上部片
５  押縁部
１１  カード
１３  ガイド口
２３  収納ケース
【図１】
0003183539.tif 000003
【図２】
0003183539.tif 000004
【図３】
0003183539.tif 000005
【図４】
0003183539.tif 000006
【図５】
0003183539.tif 000007
(57)【要約】      （修正有）【課題】指にかかる負担を軽減し、開缶を容易にするプルトップのタブを提供する。【解決手段】プルトップのタブに指が通る大きさの穴を左右対称に二つ開けることにより、開缶の際に二本の指を利用することから、開缶の為の力を軽減する事が出来る。これにより、社会的弱者も開缶を容易に行う事が出来る。また二本の指でタブをしっかりと握ることができるので、従来よりも必要以上の力が加わらず怪我をする事も少なくなる。【選択図】図２
0003183591.tif 000002
【実用新案登録請求の範囲】
【請求項１】
プルトップ式開缶方式による缶詰等のプルトップのタブに、指２本で引きあけるため二つの穴があけられたことを特徴とするタブ。
【考案の詳細な説明】
【技術分野】
【０００１】  この考案は、缶詰、ビン詰（以下缶詰等）などを開くためのプルトップのタブの形状に関する。
【背景技術】
【０００２】  従来の缶詰等の開缶に用いられているプルトップ（プルタブトップ型オープン方法）は、まず缶の上蓋と接続リベットによって取り付けられているプルトップのタブの下側を持ち上げ、その後主として人差し指をタブの中央下側にあけられている穴に差し込み、手前に引くことによって開缶するという手法をとっている。
【考案の概要】
【考案が解決しようとする課題】
【０００３】  しかしながら、以上の技術によれば、指１本で開缶に必要な力を発揮しなければならないため、力のある若者は別にして子供、女性、高齢者など社会的弱者は、この方法による開缶には非常に苦労している。それに伴い、缶を開く時に缶の上蓋で怪我をする事例も少なくない。【０００４】  そこで、この考案は、現在のタブの角に大きな丸みをつけた長方形をしており、その下側に指を一本だけ差し込むようになっているプルトップタブの形状を、洋梨、蝶々、あるいは下方は広がった栗のような形状に変更し、その広がった部分に左右対称に二つ、人の指が入る大きさの穴をあけたタブを提供することを課題とする。
【課題を解決するための手段】
【０００５】  以上の課題を解決するために、第一考案は、プルトップに指が通る大きさの穴を左右対称に二つ開けたことを特徴とするタブである。このタブには、一般的に人差し指と中指が入る。そのあと両方の指に引っ張り方向の力をこめる。これにより、現在の方法と比較し、約２倍の力でプルトップタブを引くことが出来る。これならば子供、女性、高齢者であっても従来の穴ひとつの形状のものと異なって、容易にプルトップタブを引き、開缶が可能となる。
【考案の効果】
【０００６】  第一考案によれば、プルトップに指が通る大きさの穴を左右対称に二つ開けたことにより、従来の穴一つの形状のものとは異なり、開缶の際に、二本の指で開缶を行う事が出来る。これにより、指にかかる負担が軽減され、開缶を容易に行うことができると共に、開缶補助器具（プルトップオープナー）も不要となる。【０００７】  さらにこの考案により缶詰等の開缶に使える引っ張りの力を倍増することが可能となるため、より大きな缶詰等の蓋をこれまでと同様のプルトップタブによる方法で開缶出来る。
【図面の簡単な説明】
【０００８】
【図１】この考案の従来技術と実施形態を示す正面図である。
【図２】この考案の一実施形態を示す正面図である。
【考案を実施するための形態】
【０００９】    この考案の一実施形態を、図２に示す。
タブの面積は従来よりも大きく、指が入る大きさの穴が左右対称に二つ開けられている。
タブの強度は二本の指によってタブを引く力に耐えられるものとなっている。
なお、プルトップのタブと缶の上蓋を接続している接続リベットは従来どおりである。
【００１０】「実施形態の効果」
この実施形態では、単純に考えても指二本によってプルトップを引く新しい考案であり、従来の指一本の方法と比較してほぼ２倍の力が発揮可能である。これによって社会的弱者による開缶が容易になると同時に、外付け開缶補助器具が不要となる。
【符号の説明】
【００１１】１  プルトップ              ２  タブ
３  接続リベット            ４  開缶補助器具
【図１】
0003183591.tif 000003
【図２】
0003183591.tif 000004
(57)【要約】      （修正有）【課題】使用者が経済的に片手だけで簡単にできる発毛と育毛促進器具を提供する。【解決手段】弾性材の棒を頭部両側面に挟めるようにＯ型に曲げ成形したことを特徴とする。弾性材をＯ型に曲げた弾性力により、両端で頭部両側面の浅側頭動脈に挟み、上下に動かすことで浅側頭動脈から頭皮の血管へ血流を押し上げる。道具本体の構造がＯ型で簡素であるため、自分自身で簡単に片手で持ち扱うことができ、また使用者に安価で提供できる。【選択図】図１
0003183529.tif 000002
【実用新案登録請求の範囲】
【請求項１】
弾性材の棒を頭部両側面に挟めるようにＯ型に曲げ成形したことを特徴とする発毛と育毛促進道具。
【請求項２】
弾性材の棒をＯ型に曲げ成形し（A）圧力により両端（B)で頭部両側面を挟めるようにすることを特徴とする請求項１記載の発毛と育毛促進道具。
【考案の詳細な説明】
【技術分野】
【０００１】
本考案、は発毛と育毛の促進道具に関するものである
【背景技術】
【０００２】
従来、発毛と育毛の行うための道具は頭皮部分の物が多い事が公知である
【先行技術文献】
【特許文献】
【０００３】
【特許文献１】不明
【非特許文献】
【０００４】
【非特許文献１】無し
【考案の概要】
【考案が解決しようとする課題】
【０００５】
発毛や育毛には薬品の服用や散布する方法があるが、人によっては効果が無かったり相性が悪い人がいる、また経済的負担が大きい
【０００６】
発毛と育毛を促すには、浅側頭動脈から繋がる頭皮の血管に血流を行き渡らせなければいけない
【０００７】
自分自身の指で毎日繰り返し頭皮のマッサージするのは疲れるため長期間持続させるのは難しい
【課題を解決するための手段】
【０００８】
（A）の圧力により頭部両側面の浅側頭動脈を挟めるようにし、（A）の両端（B)で押圧効果がでるようにして、（A）の構造上持ちやすい部分を片手で持ち上下に動かせるようになっている
【考案の効果】
【０００９】
道具を使用することにより薬の副作用を気にする事が無くなる、また道具の構造を簡素なものとした事により安価で提供でき、利用者の経済的負担が軽くなる効果がある
【００１０】
道具を使用することにより浅側頭動脈の血行が活発になり、頭皮へ血流が押し上げられ血液が血管に行き渡り、発毛と育毛を促進するという効果がある
【００１１】
道具を使用する事により自分で容易に押圧しやすくなるため毎日持続できる
【図面の簡単な説明】
【００１２】
【図１】本考案に係る発毛と育毛器具の斜視図である
【図２】本考案の使用状態を示す平面図である
【図３】両端で挟み上下に動かす部分の側面図である
【図４】浅側頭動脈のある位置の側面図である
【考案を実施するための形態】
【００１３】
図１に示すように弾性材の棒をO型に曲げて成形し（A）の両端（B）で挟めるようされている
【実施例】
【００１４】
図２に示すように道具の両端部分（B)で、頭部両側面の浅側頭動脈を耳珠すぐ横から挟み、道具本体（A)の持ちやすい部分を片手で掴み、図３に示すように（D）の部分を押圧し上下させる
【００１５】
図３に示すように（D）の部分を押圧し上下することを繰り返すことにより、図４に示す浅側頭動脈の血行が活発になり、頭皮へ血流が押し上げられ血液が血管に行き渡り、発毛と育毛を促進するという効果がある
【符号の説明】
【００１６】
（A)道具本体
（B)両端部分
（C)両端で挟み上下させる部分
【図１】
0003183529.tif 000003
【図２】
0003183529.tif 000004
【図３】
0003183529.tif 000005
【図４】
0003183529.tif 000006
【手続補正書】
【提出日】平成25年3月8日(2013.3.8)
【手続補正１】
【補正対象書類名】明細書
【補正対象項目名】０００８
【補正方法】変更
【補正の内容】
【０００８】
このため本考案では、弾性材の棒をO型に曲げ成形して（Ａ）の圧力により頭部両側面の浅側頭動脈を挟めるようにし、（Ａ）の両端（Ｂ)で押圧効果がでるようにしながら、（Ａ）の構造上持ちやすい部分を片手で持ち上下に動かせるよう構成されている
【手続補正２】
【補正対象書類名】明細書
【補正対象項目名】００１２
【補正方法】変更
【補正の内容】
【００１２】
【図１】本考案に係る発毛と育毛道具の平面図である
【図２】本考案の使用状態を示す平面図である
【図３】両端で挟み上下に動かす部分の側面図である
【図４】浅側頭動脈のある位置の側面図である
【手続補正３】
【補正対象書類名】明細書
【補正対象項目名】００１４
【補正方法】変更
【補正の内容】
【００１４】
図２に示すように道具の両端部分（Ｂ)で、頭部両側面の浅側頭動脈を耳珠すぐ横から挟み、道具本体（Ａ)の持ちやすい部分を片手で掴み、図３に示すように（Ｃ）の部分を押圧し上下させる
【手続補正４】
【補正対象書類名】明細書
【補正対象項目名】００１５
【補正方法】変更
【補正の内容】
【００１５】
図３に示すように（Ｃ）の部分を押圧し上下することを繰り返すことにより、図４に示す浅側頭動脈の血行が活発になり、頭皮へ血流が押し上げられ血液が血管に行き渡り、発毛と育毛を促進するという効果がある
【手続補正５】
【補正対象書類名】図面
【補正対象項目名】図３
【補正方法】変更
【補正の内容】
【図３】
0003183529.tif 000007
【手続補正６】
【補正対象書類名】図面
【補正対象項目名】図４
【補正方法】変更
【補正の内容】
【図４】
0003183529.tif 000008
【手続補正書】
【提出日】平成25年3月13日(2013.3.13)
【手続補正１】
【補正対象書類名】実用新案登録請求の範囲
【補正対象項目名】請求項１
【補正方法】変更
【補正の内容】
【請求項１】
弾性材の棒を両端で頭部両側面を挟めるようにＯ型に曲げ成形したことを特徴とする発毛と育毛促進道具。
【手続補正２】
【補正対象書類名】実用新案登録請求の範囲
【補正対象項目名】請求項２
【補正方法】変更
【補正の内容】
【請求項２】
弾性材の棒をＯ型に曲げ成形し、道具本体（A）の弾性力により両端（B)で頭部両側面を挟めるようにすることを特徴とする請求項１記載の発毛と育毛促進道具。
(57)【要約】      （修正有）【課題】安価かつ大量に出回っている一般的な結束バンド、すなわち一度締めると再利用できないタイプの結束バンドを緩めて取り外し、再利用可能とするための、結束バンド外し具を提供する。【解決手段】一対のアーム１３と、これらのアームが交差している交差部を回動自在に軸支する軸部１４と、各アームの軸部から先端側に形成された一対の刃部１１とを有し、アームを接近・離反すると、刃部が互いに接近・離反するようになった取り外し具において、一方の刃部の先端を細い棒状、且つ、他方の刃部に向けて屈曲した形状となし、他方の刃部の先端を細い棒状に形成した。【選択図】図１
0003183506.tif 000002
【実用新案登録請求の範囲】
【請求項１】
一対のアームと、これらのアームが交差している交差部を回動自在に軸支する軸部と、前記各アームの前記軸部から先端側に形成された一対の刃部とを有し、前記アームを接近・離反すると、前記刃部が互いに接近・離反するようになった取り外し具において、
一方の刃部（１１）の先端部（１１ａ）を細い棒状、且つ、他方の刃部に向けて屈曲した形状となし、他方の刃部（１２）の先端部（１２ａ）を細い棒状に形成した結束バンド取り外し具。
【考案の詳細な説明】
【技術分野】
【０００１】
本考案は、コードや電線等を束ねて締めるときなどに使用する、いわゆる結束バンドの外し具に関するものである。
【背景技術】
【０００２】
従来から電気工事等においては、複数の電線などを結束するためのインシュロック（登録商標）と呼ばれる結束バンドが用いられている。この結束バンドは、係止ヘッド部とこれと一体に設けらたバンド部とからなり、このバンド部を被結束物の周囲に巻き付けると共に前記係止ヘッド部に形成されている空隙部に挿通することにより、この空隙部内に設けられたラチェット爪が前記バンド部に形成された凸凹に噛合して抜け止めされるものである。
【０００３】
上記従来の一般的な結束バンドは一度締めると緩めることが出来ず、再利用ができなかった。係る不都合を回避すべく、ヘッド部のカムを押すと、ロックがはずれ、取り外しが可能なものも存在するが、ヘッド部や帯の幅が相当広くなっていた。
【０００４】
特許文献１、２には再利用可能な結束バンドが開示されている。
【先行技術文献】
【特許文献】
【０００５】
【特許文献１】実開平７−１３７５６号公報
【特許文献２】特開２００９−９５２１８号公報
【考案の概要】
【考案が解決しようとする課題】
【０００６】
上記取り外し可能な結束バンドは、係止ヘッド部にカムを設けるなど、構造が複雑になりがちである。  
【０００７】
本考案は、現在、安価かつ大量に出回っている一般的な結束バンド、すなわち一度締めると再利用できないタイプの結束バンドを緩めて取り外し、再利用可能とするための、結束バンド外し具を提供することを目的とする。
【課題を解決するための手段】
【０００８】
上記の目的を達成する本考案の構成は次の通りである。
【０００９】
一対のアームと、これらのアームが交差している交差部を回動自在に軸支する軸部と、前記各アームの前記軸部から先端側に形成された一対の刃部とを有し、前記アームを接近・離反すると、前記刃部が互いに接近・離反するようになった取り外し具において、一方の刃部の先端を細い棒状、且つ、他方の刃部に向けて屈曲した形状となし、他方の刃部の先端を細い棒状に形成した。
【考案の効果】
【００１０】
上記のように構成される本考案が、如何に作用して課題を解決するかを図面を参照しながら概説する。
【００１１】
図５は使用時における結束バンド１の係止ヘッド部２近傍の断面図である。係止ヘッド部２内にはラチェット爪２aが設けられており、このラチェット爪２aにバンド部３に設けられた凹凸３ａが噛合することでバンド部３が抜けない、すなわち図中左方向には移動しない構造となている。
【００１２】
図３、図４は、本考案の使用状態をあらわしている。なお、図４においては可視的にするため先端部１１ａ，１２ａ以外は省略してある。
【００１３】
結束バンド外し具１０の一方の刃部１２の先端部１２ａを係止ヘッド部２の側部にあてがった状態で、他方の刃部１１の屈曲された先端部１１ａを、係止ヘッド部２内に差込み、ラチェット爪２ａを押圧する。
【００１４】
すると、ラチェット爪２ａは折れ曲がり、バンド部３に設けられた凹凸３ａとの噛合が解放される。かかる状態であれば、バンド部３は係止ヘッド部２から抜ける方向、図中左方向に移動可能となり、バンド部３を係止ヘッド部２から抜くことで、当該結束バンド１の再利用が可能となるのである。
【図面の簡単な説明】
【００１５】
【図１】本考案の正面図
【図２】刃先を開いた状態の正面図
【図３】使用状態を示す説明平面図
【図４】使用状態を示す説明正面図
【図５】結束バンドのヘッド部の断面図
【考案を実施するための形態】
【００１６】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００１７】
図１は本考案に係る結束バンド外し具１０の閉じた状態の正面図であり、図２は開いた状態の正面図である。
【００１８】
これらの図に示すように、本考案の結束バンド外し具１０は、一対のアーム１３，１３が軸部１４で交差して回動自在に連結され、このアーム１３，１３の軸部１４から先端側に、刃部１１，１２を形成し、各刃部１１、１２の先端に先端部１１ａ，１２ａを形成している。アーム１３，１３の後端側はカバーに覆われたハンドル１５，１５となっている。ハンドル１５，１５を接近・離反すると、先端部１１ａ，１２ａも互いに接近・離反するようになっている。
【００１９】
本考案の特徴は先端部１１ａ，１２ａの形状にある。係止ヘッド部２に嵌入される先端部１１ａは、他方の刃部１２側に向かって屈曲された、且つ、細い棒状を呈している。係止ヘッド部２の側壁に当接される先端部１２ａは細い棒状を呈している。
【符号の説明】
【００２０】
１０・・結束バンド外し具    １１・・刃部        １１ａ・・先端部
１２・・刃部                １２ａ・・先端部    １３・・アーム
１４・・軸部                １５・・ハンドル
【図１】
0003183506.tif 000003
【図２】
0003183506.tif 000004
【図３】
0003183506.tif 000005
【図４】
0003183506.tif 000006
【図５】
0003183506.tif 000007
(57)【要約】      （修正有）【課題】収納袋上に使われる、外れず安定したチェーンクリップを提供する。【解決手段】チェーンクリップは、クリップ本体２を含み、クリップ本体上にはペアリングの２つのクランプアーム１が設置され、クリップ本体の上部には下に伸ばされるポジショニングダンパー３が設置され、２つのクランプアームの下部にはクリップ本体の内部に沿って伸ばされるクランプフック４が設置され、２つのクランプアームとクランプフックは緊密に嵌合している。これにより、チェーンに対するクランプ作用が安定し、確実で、チェーンクリップが外れず、破損し難い特徴を有する。 【選択図】図１
0003183728.tif 000002
【実用新案登録請求の範囲】
【請求項１】
クリップ本体（２）を含み、前記クリップ本体上にはペアリングの２つのクランプアーム（１）が設置され、クリップ本体の上部には下に伸ばされるポジショニングダンパー（３）が設置されるチェーンクリップ。 
【請求項２】
前記２つのクランプアームの下部にはクリップ本体内部に沿って伸ばされるクランプフック（４）が設置され、２つのクランプアームのクランプフックは緊密に嵌合していることを特徴とする、請求項１に記載のチェーンクリップ。 
【請求項３】
前記ポジショニングダンパーはクリップ本体と一体成型構造となっていることを特徴とする、請求項１に記載のチェーンクリップ。
【請求項４】
前記クランプフックはクランプアームと一体成型構造となっていることを特徴とする、請求項２に記載のチェーンクリップ。
【考案の詳細な説明】
【技術分野】
【０００１】
本実用新案はチェーンクリップに関するもので、具体的には主に収納袋上のチェーンを締め付けるチェーンクリップに関するものである。 
【背景技術】
【０００２】
現在人々の生活は日に日に忙しくなり、生活の空間も日に日に狭くなる一方で、如何に限りある空間を合理的に利用するかは、人々が注目する大きな問題となっている。日常の家庭生活の中、家の雑物は益々多くなり、使わない時は、品物を格納して、湿気を受け黴などが生えて破損されないようにする。例えば、布団や衣類などの品物は通常収納袋の中に格納して置く。 
【０００３】
既存の収納袋は、一般的に袋口の裏側に凹凸に噛み合うチェーンが設置され、袋口の外側にチェーンクリップを設置して、チェーンクリップを移動させることによって袋口の開閉を実現することができるが、操作の不注意によっては、しばしばチェーンクリップが袋から外れてしまい、再び取り付けなければならないので、時間がかかる。
【考案の概要】
【考案が解決しようとする課題】
【０００４】
本実用新案で解決しようとする課題は、主に収納袋上に使われる、外れず安定したチェーンクリップを提供することである。
【課題を解決するための手段】
【０００５】
本実用新案は、クリップ本体を含み、前記クリップ本体上にはペアリングの２つのクランプアームが設置され、クリップ本体の上部には下に伸ばされるポジショニングダンパーが設置されるチェーンクリップからなる。 
【０００６】
前記２つのクランプアームの下部にはクリップ本体内部に沿って伸ばされるクランプフックが設置され、２つのクランプアームのクランプフックは緊密に近寄っている。
【０００７】
前記ポジショニングダンパーはクリップ本体と一体成型構造となっている。
【０００８】
前記クランプフックはクランプアームと一体成型構造となっている。
【考案の効果】
【０００９】
本実用新案は主に収納袋に使われ、収納袋の封じ目の位置に設置され、封じ目位置のチェーンを締め付ける用途に使われる。ポジショニングダンパーが設置され、当該ポジショニングダンパーは収納袋の封じ目の内部に挿し込まれるので、ポジショニングダンパーが使用中外れるなどの問題が発生しないことを保証できる。
【図面の簡単な説明】
【００１０】
【図１】図1は本実用新案の正面構造見取り図である。
【図２】図2は本実用新案が収納袋上に使われる際の正面構造見取り図である。
【考案を実施するための形態】
【００１１】
以下で、図面を引用して本実用新案について説明する。
【００１２】
図１に示されているように、チェーンクリップは、クリップ本体２を含み、前記クリップ本体２上にはペアリングの２つのクランプアーム１が設置され、クリップ本体２の上部には下に伸ばされるポジショニングダンパー３が設置されている。２つのクランプアーム１の下部にはクリップ本体２の内部に沿って伸ばされるクランプフック４が設置され、２つのクランプアーム１のクランプフック４は緊密に近寄っている。加工製造の便利のために、ポジショニングダンパー３はクリップ本体２と一体成型構造とし、クランプフック４はクランプアーム１と一体成型構造とする。
【００１３】
図２に示されているように、本実用新案を収納袋に使用する時には、チェーンクリップを収納袋５の封じ目のチェーン６上に取り付け、収納袋の封じ目を２つのクランプアームの間に挟み、ポジショニングダンパーを収納袋の封じ目の中に挿し入れ、２つのクランプアームがちょうど収納袋の封じ目上のチェーンを支えるようにする。操作の際、チェーンクリップが封じ目の左端又は右端に移動されると、ポジショニングダンパーに阻まれて、チェーンクリップは封じ目の外側に移動できなくなり、つまり、左右の方向において外れという問題が発生しない。また、クランプフックがチェーンをしっかりと支えるので、チェーンクリップ全体が上下方向において外れないことも確保できる。具体的な製造の際は、可能な限り２つのクランプアームを緊密にする。
【符号の説明】
【００１４】
１：クランプアーム
２：クリップ本体
３：ポジショニングダンパー
４：クランプフック
５：収納袋
６：封じ目のチェーン
【図１】
0003183728.tif 000003
【図２】
0003183728.tif 000004
(57)【要約】      （修正有）【課題】ゲル状芳香剤が入った缶やプラスティック製の芳香容器が外から認識されにくい芳香装置を提供する。【解決手段】ゲル状芳香剤入り容器５と、容器本体４と、蓋体３とからなる芳香装置であって、天面に網目状シートを張り渡した揮散開口部を有する蓋体３で、ゲル状芳香剤入り容器５を収容した容器本体４を覆い、嵌め合わせる。また、容器本体４と蓋体３は、紙製とする。【選択図】図２
0003183743.tif 000002
【実用新案登録請求の範囲】
【請求項１】
ゲル状芳香剤入り容器と、容器本体と、蓋体とからなる芳香装置であって、天面に網目状シートを張り渡した揮散開口部を有する蓋体が、ゲル状芳香剤入り容器を収容した容器本体を覆い、嵌め合わさった構造であることを特徴とする芳香装置。
【請求項２】
前記容器本体と蓋体は、紙製であることを特徴とする請求項１に記載の芳香装置。
【考案の詳細な説明】
【技術分野】
【０００１】
本考案は、芳香装置に関するものである。
【背景技術】
【０００２】
従来、ゲル状芳香剤を、缶製やプラスティック製の容器に入れて密封したものが知られており、使用時に蓋を開けて取り外し、上カバーを嵌めて使用するタイプのものが知られている。
【特許文献１】特開２００２−３６２６６０
【考案の開示】
【考案が解決しようとする課題】
【０００３】
しかしながら、本タイプの芳香剤は、気軽に楽しめる一方、缶製であれば金属色が強く、プラスティック製であれば安っぽさのため、お洒落空間になじまない傾向があり、目立たない場所に設置して使用することが多かった。そして、側面に施した図柄等のデザインは実質上、購入時の選択の要因が強く、使用実態に即したものではなかった。
【０００４】
本考案は、上記問題を解決するため成されたもので、ゲル状芳香剤を缶製やプラスティック製の容器に入れたものが外から認識されにくいように、このゲル状芳香剤入り容器を紙製の容器に収容した芳香装置を提供する。
【課題を解決するための手段】
【０００５】
ゲル状芳香剤入り容器と、容器本体と、蓋体とからなる芳香装置であって、天面に網目状シートを張り渡した揮散開口部を有する蓋体が、ゲル状芳香剤入り容器を収容した容器本体を覆い、嵌め合わさった構造とし、また、容器本体と蓋体は、紙製とする。
【考案の効果】
【０００６】
本考案によれば、ゲル状芳香剤が入った缶製やプラスティック製の芳香容器が外から認識されにくい。
【考案を実施するための最良の形態】
【０００７】
ゲル状芳香剤入り容器と、容器本体と、蓋体とからなる芳香装置であって、天面に網目状シートを張り渡した揮散開口部を有する蓋体が、ゲル状芳香剤入り容器を収容した容器本体を覆い、嵌め合わさった構造とし、また、容器本体と蓋体は、紙製とする。
【実施例１】
【０００８】
以下、図面を参照して本考案に係る芳香装置の実施例を説明する。図１は、本考案に芳香装置の実施例図である。図２は、本考案に係る芳香装置の内部構造を示す実施例図である。また、図３は、本考案に係る芳香装置の蓋体部の揮散開口部のバリエーションの実施例図である。
【０００９】
まず図２に示すように、芳香成分を発散しつつ水分を分離しながら収縮するゲル状芳香剤入り容器５を収容する容器本体４と、容器本体４を覆い嵌め合わせる蓋体３を紙製で形成する。
【００１０】
容器本体３が実施例のような略立方体の場合は、当該略正方形の底面と当該略正方形の底面周縁部から立設する周壁部とから構成され、底面に対する面は開口されている。
【００１１】
対する蓋体３は、略正方形の天面と当該略正方形の天面の周縁部から立設する周壁部とから構成され、天面に対する面は開口されており、容器本体４を覆い嵌め合わせる蓋体３構造とする。
【００１２】
このとき、蓋体３は、天面に網目状シートを張り渡した揮散開口部２を備える。
【００１３】
また、蓋体３の表面の全体又は一部に、模様、ロゴ等の図柄を設けても良い。
【００１４】
そして、揮散開口部２の網目状シートは、樹脂製、金属製等特に限定しない。
【００１５】
なお、実施例は略立方体としたが、ゲル状芳香剤が入った缶製やプラスティック製の芳香容器を収容できるものであれば、円柱、多角柱等でも良く柱体の形状は特に限定しない。
【００１６】
そして、芳香成分を発散しつつ水分を分離しながら収縮するゲル状芳香剤は、プルトップ式の容器に収容されたものが好ましい。
【００１７】
次に、揮散開口部２は、天面に有していればよいため、図１のように１箇所に限らず図３のように複数存在しても良く、更に、図示はしないがキャラクターをモチーフにしたシルエット形状の開口部に網目状シートを張り渡した揮散開口部２としても構わない。
【００１８】
こうして、ゲル状芳香剤入り容器５を収容した容器本体４を、蓋体３で覆い、嵌め合わせて芳香装置１を完成させる。
【００１９】
このように、好ましい実施例を挙げて本考案を説明したが、本考案はその実施例に限定されるものではなく、本考案の要旨の範囲内で種々に組み合わせや改変できる。
【図面の簡単な説明】
【００２０】
【図１】本考案に芳香装置の実施例図である。
【図２】本考案に係る芳香装置の内部構造を示す実施例図である。
【図３】本考案に係る芳香装置の蓋体部の揮散開口部のバリエーションの実施例図である。
【符号の説明】
【００２１】
１  芳香装置
２  揮散開口部
３  蓋体
４  容器本体
５  ゲル状芳香剤入り容器
【図１】
0003183743.tif 000003
【図２】
0003183743.tif 000004
【図３】
0003183743.tif 000005
(57)【要約】      （修正有）【課題】所構わず使用可能で、買い換えや芳香液の充てんが不必要で何度でも簡単に交換できるフレグランスサシェを提供する。【解決手段】紙製で香料をしみ込ませたフレグランスチップ２をクッション体４のポケット３内に収納したものを、外袋の中に入れる。【選択図】図２
0003183742.tif 000002
【実用新案登録請求の範囲】
【請求項１】
外袋の中に、フレグランスチップとクッション体が収納されているフレグランスサシェであって、前記クッション体は、ポケットを有しており、前記ポケット内にフレグランスチップが収納されていることを特徴とするフレグランスサシェ。
【請求項２】
前記フレグランスチップは、紙製で香料をしみ込ませていることを特徴とする請求項１に記載のフレグランスサシェ。
【考案の詳細な説明】
【技術分野】
【０００１】
本考案は、フレグランスサシェに関するものである。
【背景技術】
【０００２】
従来より、中にハーブやドライフラワー、香木等のフレグランスチップなどが入っている小袋のことをサシェとよんでいる。
【非特許文献１】実開平０８-０００７４４
【考案の開示】
【考案が解決しようとする課題】
【０００３】
しかしながら、この種のサシェは、香りが弱くなると、新たに買い換えの必要があり、芳香液を充てんして再利用する方法では、染み込みが偏ったり、シミになったりと使用上の不便が問題となっていた。
【０００４】
また、薄紙や、布袋内に詰め込まれただけであり、見た目を工夫したものは少なかった。
【０００５】
本考案は、上記問題を解決するため成されたもので、所構わず使用可能なフレグランスサシェであって、何度でも簡単に交換できるフレグランスサシェを提供する。
【課題を解決するための手段】
【０００６】
紙製で香料をしみ込ませているフレグランスチップをクッション体のポケット内に収納したものを、外袋の中に入れる。
【考案の効果】
【０００７】
本考案によれば、所構わず使用可能で、クッション体による手触りの良さが伝わり、フレグランスチップがクッション体のポケットに収まっているため、外部へ香りのみを発散させ、香料による外部への色移りや変色を防止でき、さらに、フレグランスチップを交換することで何度でも使用できる。
【考案を実施するための最良の形態】
【０００８】
紙製で香料をしみ込ませているフレグランスチップをクッション体のポケット内に収納したものを外袋の中に入れる。
【実施例１】
【０００９】
以下、図面を参照して本考案に係るフレグランスサシェの実施例を説明する。図１は、本考案に係るフレグランスサシェの実施例図である。図２は、本考案に係るフレグランスサシェのフレグランスチップとクッション体を示す構成図である。また、図３は、本考案に係るフレグランスサシェの、クッション体のポケットにフレグランスチップが収納された状態の断面図である。
【００１０】
まず図１に示すように外袋６として、例えばポーチを形成する。
【００１１】
このとき、通気性のある布などで中空で開口部を有する袋体を形成し、開口部が絞れるように紐通部分を設けて紐を通し、図１のようなリボンを結んだポーチ構造とする。
【００１２】
また、外袋６の表面の全面又は一部分に適時図柄７やロゴなどを印刷して、デザイン性を高めても構わない。
【００１３】
そして、同様に通気性のある布などで形成した袋に例えば綿５を詰めたクッション体４を作り、このクッション体４の表面上にポケット３を形成し、使用時はフレグランスチップ２を挿入する。
【００１４】
ここで、フレグランスチップ２とは、紙製で香料をしみ込ませている一般にエアーフレッシュナーとよばれるものを使用すると良い。
【００１５】
また、このフレグランスチップ２を１枚ごとにフィルム袋に密封しておけば、芳香効果が弱くなるごとに交換できるため、何度でもサシェの使用が可能となる。
【００１６】
更に、これまでフレグランスチップ２の表面が、布・樹脂面などに触れると、その触れた面が変色したり、変形したりする恐れがあったが、クッション体４に形成したポケット３に入れることで、直接外部に触れることを防止でき、クッション体４自体をポーチ内に入れておくため、２重に当該恐れを防止できる構造となっている。
【００１７】
一方、クッション体４は、握った感触を良くする効果があるため、本考案のフレグランスサシェ１の使用感を高めることができる。
【００１８】
こうして、フレグランスチップ２をクッション体４のポケット３内に収納したものを更にポーチの中に入れてフレグランスサシェ１を完成させる。
【００１９】
このように、好ましい実施例を挙げて本考案を説明したが、本考案はその実施例に限定されるものではなく、本考案の要旨の範囲内で種々に組み合わせや改変できる。
【図面の簡単な説明】
【００２０】
【図１】本考案に係るフレグランスサシェの実施例図である。
【図２】本考案に係るフレグランスサシェのフレグランスチップとクッション体を示す構成図である。
【図３】本考案に係るフレグランスサシェの、クッション体のポケットにフレグランスチップが収納された状態の断面図である。
【符号の説明】
【００２１】
１  フレグランスサシェ
２  フレグランスチップ
３  ポケット
４  クッション体
５  綿
６  外袋
７  図柄
【図１】
0003183742.tif 000003
【図２】
0003183742.tif 000004
【図３】
0003183742.tif 000005
(57)【要約】      （修正有）【課題】インテリア性を高め、芳香液の劣化を防ぎ、使用後容器自体は鉛筆立て等としても使用できる芳香装置を提供する。【解決手段】芳香装置１を構成する容器本体４は、芳香液入り容器の収容空間と、開口部と、蓋受け部とを備え、容器本体４の開口部を閉塞する蓋体２には貫通口を設けておく。また、容器本体４及び蓋体２は、セラミック製とする。【選択図】図１
0003183744.tif 000002
【実用新案登録請求の範囲】
【請求項１】
芳香液入り容器と、棒状の液体吸収体と、容器本体と、蓋体とからなり、前記容器本体は、前記芳香液入り容器の収容空間と、開口部と、前記容器本体の上部に内周面に沿って突設された蓋受け部とを備え、蓋体は、芳香液入り容器と棒状の液体吸収体とを容器本体に収容し、蓋体で開口部を閉塞しても、容器本体から棒状の液体吸収体の一部が突出しうる貫通口を備えていることを特徴とする芳香装置。
【請求項２】
前記容器本体及び蓋体は、セラミック製であることを特徴とする請求項１に記載の芳香装置。
【考案の詳細な説明】
【技術分野】
【０００１】
本考案は、芳香装置に関するものである。
【背景技術】
【０００２】
従来の芳香装置としては、芳香液が入った瓶の開口部より、瓶の中へ籤等のリード吸収体を差し込み、リード吸収体から吸い上げられた芳香剤が揮散されるものや、芳香カートリッジを交換できる芳香装置が知られている。
【特許文献１】特開２０１１−２３４７４５
【非特許文献２】実願平１０−６７２２
【考案の開示】
【考案が解決しようとする課題】
【０００３】
しかしながら、リード吸収体タイプの芳香装置は、好きな香りを基準に購入した結果、設置場所によっては周囲とマッチしないデザインとなっているものや、安っぽさが誇張されたりするものが多く存在した。
【０００４】
また、瓶にはラベルが貼られてはいるが、瓶自体が透明であるとラベル以外の部分から日光源による芳香液の劣化が少なからず生じ、最後まで品質を保つことが難しかった。
【０００５】
そして、カートリッジ交換タイプの芳香装置は、割と交換に手間取ることが多く、また、別商品に買い替える場合、その芳香装置に再利用の可能性は低く、廃棄するしかなかった。
【０００６】
本考案は、上記問題を解決するため成されたもので、インテリア性を高め、芳香液の劣化を防ぎ、使用後容器自体は鉛筆立て等としても使用できる芳香装置を提供する。
【課題を解決するための手段】
【０００７】
芳香装置を構成する容器本体は、芳香液入り容器の収容空間と、開口部と、蓋受け部とを備え、容器本体の開口部を閉塞する蓋体には貫通口を設けておく。また、容器本体及び蓋体は、セラミック製とする。
【考案の効果】
【０００８】
本考案によれば、インテリア性を高めることで使用場所を選ばず設置でき、芳香液入り容器自体を容器本体に収容し光を遮蔽することから最後まで品質を保つことができ、芳香液入り容器の交換も簡単で、更に、容器本体を鉛筆立てや小物入れとしても使用できる。
【考案を実施するための最良の形態】
【０００９】
芳香液入り容器と、棒状の液体吸収体と、容器本体と、蓋体とからなり、前記容器本体は、前記芳香液入り容器の収容空間と、開口部と、前記容器本体の上部に内周面に沿って突設された蓋受け部とを備え、蓋体は、芳香液入り容器と棒状の液体吸収体とを容器本体に収容し、蓋体で開口部を閉塞しても、容器本体から棒状の液体吸収体の一部が突出しうる貫通口を備えた構造とする。また容器本体及び蓋体は、セラミック製とする。
【実施例１】
【００１０】
以下、図面を参照して本考案に係る芳香装置の実施例を説明する。図１は、本考案に係る芳香装置の実施例図である。図２は、本考案に係る芳香装置の各構成を示した実施例図である。また、図３は、本考案に係る芳香装置の断面図を示す実施例図である。
【００１１】
まず、図２に示す棒状の液体吸収体３は、竹や藤等の木製の籤を複数本使用することが望ましい。また、それ以外の棒状の液体吸収体として、紙製、樹脂製、ガラス製の吸収体を使用しても構わない。
【００１２】
次に、芳香液入り容器５は、天然香料、人工香料を使用した芳香液を瓶等に封入したものであって、使用時容器の蓋を開封して使用するものとする。
【００１３】
そして、図２及び図３の通り容器本体４の構造は、芳香液入り容器５が収容可能な空間及び開口部９を有する円筒形状とし、蓋体２が容器本体４の内壁に設けた蓋受け部７に載置されることで開口部９を閉塞する。
【００１４】
この蓋受け部７は、容器本体４の上部に、内壁の内周面に沿って突設した蓋受け部７となる。
【００１５】
なお、外観形状は実施例では円筒形状であるが、特に限定するものではない。
【００１６】
また、蓋体２には、芳香液入り容器５と棒状の液体吸収体３とを容器本体４に収容し、蓋体２で開口部９を閉塞しても、容器本体４から棒状の液体吸収体３の一部が突出しうる貫通口６を設けておく。
【００１７】
この貫通口６は、好ましくは指がひっかけられる程度の大きさであれば、交換時簡単に指で蓋体２を持ち上げることができる。
【００１８】
そして、容器本体４及び蓋体２は、セラミック製とする。
【００１９】
また、容器本体の側面には、文字、図形、記号、これらの結合又はこれらに色彩を加えた模様８を設けると良い。
【００２０】
こうして完成した芳香装置１は、芳香液入り容器５と棒状の液体吸収体３を容器本体４に収容し、蓋受け部７に蓋体２を載置し開口部９を閉塞しても、容器本体から棒状の液体吸収体３の一部が突出した状態で使用することができる。
【００２１】
このように、好ましい実施例を挙げて本考案を説明したが、本考案はその実施例に限定されるものではなく、本考案の要旨の範囲内で種々に組み合わせや改変できる。
【図面の簡単な説明】
【００２２】
【図１】本考案に係る芳香装置の実施例図である。
【図２】本考案に係る芳香装置の各構成を示した実施例図である。
【図３】本考案に係る芳香装置の内部状態を示す実施例図である。
【符号の説明】
【００２３】
１  芳香装置
２  蓋体  
３  棒状の液体吸収体
４  容器本体  芳香液入り容器
５  芳香液入り容器
６  貫通口  
７  蓋受け部  
８  模様
９  開口部
【図１】
0003183744.tif 000003
【図２】
0003183744.tif 000004
【図３】
0003183744.tif 000005
(57)【要約】      （修正有）【課題】誠に恥ずかしい思いを解決し、お腹の苦しい膨張感を緩和する尻用パッドを提供する。【解決手段】切断した複数の消臭ナプキン、又は、綿球は、保湿紙２により包むことにより、膨らみを有する筒部１２と、捩じられた細い羽部からなる尻用パッドであって、筒部１２は、肛門に当て、羽部１１は臀部に挟めるようにしたことを特徴とする尻用パッド。【選択図】図１
0003183749.tif 000002
【実用新案登録請求の範囲】
【請求項１】
切断した複数の消臭ナプキン、又は、綿球は、保湿紙２により包むことにより、膨らみを有する筒部１２と、捩じられた細い羽部からなる尻用パッドであって、筒部１２は、肛門に当て、羽部１１は臀部に挟めるようにしたことを特徴とする尻用パッド。
【考案の詳細な説明】
【技術分野】
【０００１】
尻につけるパッドに関する。
【背景技術】
【０００２】
女性用生理パッド又尿漏れパッドはありますが、肛門に当てるパッドはなかった。
【考案の概要】
【考案が解決しようとする課題】
【０００３】
消化剤、或いは下剤等多く市販されているがお腹が張ることも多く、意に反し放屁に至りることがおこる。本考案は、誠に恥ずかしい思いを解決し、お腹の苦しい膨張感を緩和すること目的とする。
【課題を解決するための手段】
【０００４】
切断した複数の消臭ナプキン、又は、綿球は、保湿紙２により包むことにより、膨らみを有する筒部１２と、捩じられた細い羽部からなる尻用パッドであって、筒部１２は、肛門に当て、羽部１１は臀部に挟めるようにしたことを特徴とする尻用パッド。
【考案の効果】
【０００５】
本考案のパッドにより、オナラの消音と消臭の解決し、放庇に寄りお腹の膨張感を緩和できる。
【図面の簡単な説明】
【０００６】
【図１】本考案の尻用パッドの構成
【図２】本考案の尻用パッドの使用法
【考案を実施するための形態】
【０００７】
図１は、本考案の尻用パッドの構成を表す。
（ａ）は保湿紙で包む前、（ｂ）は保湿紙で包んだ後を示す。
本考案の尻用パッド１は保湿紙２と切断した消臭ナプキン、又は、綿球３からなり、切断した消臭ナプキン、又は、綿球３は保湿紙２により捩じられて包まれている。切断した消臭ナプキン、又は、綿球３は、肛門に当てる筒部１２、捩じられた端部は、臀部に挟む羽部１１を形成する。切断した消臭ナプキン、又は、綿球３の個数は、大きさによるが、８個以上であることが好ましい。
【０００８】
図２は、本考案の尻用パッドの使用方法を示す。臀部４の肛門に尻用パッドの筒部１２をしっかり当て、羽部を臀部の背の方に沿って押し当てると臀部に挟まれ、尻用パッド１がはずれることなく装着できる。
【産業上の利用可能性】
【０００９】
オナラの消音と消臭ができるパッドを提供する。お腹の膨張感を緩和する。
【符号の説明】
【００１０】
１      尻用パッド
１１  羽部
１２  包部
２      保湿紙
３      切断した消臭ナプキン、又は、綿球
４      臀部
【図１】
0003183749.tif 000003
【図２】
0003183749.tif 000004